(57)【要約】【課題】省電力化により貢献する。【解決手段】外部機器と接続するためのコネクタを備える電子機器であって、上記コネクタと差動信号線により接続し、上記コネクタを介した信号の送受信を制御するトランシーバＩＣと、オン状態である場合に上記トランシーバＩＣに駆動用の電圧を供給する電源と、上記差動信号線と上記電源との間に設けられ、上記コネクタを介して上記差動信号線に入力された所定のバイアスを検出した場合に、上記電源をオン状態とするバイアス検出部とを備える。【選択図】図１
2014154967.tif 000002
【特許請求の範囲】
【請求項１】
外部機器と接続するためのコネクタを備える電子機器であって、
上記コネクタと差動信号線により接続し、上記コネクタを介した信号の送受信を制御するトランシーバＩＣと、
オン状態である場合に上記トランシーバＩＣに駆動用の電圧を供給する電源と、
上記差動信号線と上記電源との間に設けられ、上記コネクタを介して上記差動信号線に入力された所定のバイアスを検出した場合に、上記電源をオン状態とするバイアス検出部と、を備えることを特徴とする電子機器。
【請求項２】
上記バイアス検出部は、上記差動信号線から入力したバイアスから直流成分を検出する積分回路を備え、当該直流成分のレベルに基づいて上記電源のオン状態とオフ状態とを切替えることを特徴とする請求項１に記載の電子機器。
【請求項３】
上記バイアス検出部は、上記直流成分のレベルと所定のしきい値とを比較し、上記直流成分のレベルが当該しきい値を超えた場合に、上記電源をオン状態とすることを特徴とする請求項２に記載の電子機器。
【請求項４】
バイアスが印加されるとともに、上記コネクタに上記外部機器が接続されたときに上記外部機器の第二の差動信号線と接続する第一の差動信号線と、
上記コネクタに上記外部機器が接続されたときに上記外部機器の第一の差動信号線と接続する第二の差動信号線とを備え、
上記バイアス検出部は、上記第二の差動信号線と上記電源との間に設けられることを特徴とする請求項１〜請求項３のいずれかに記載の電子機器。
【請求項５】
上記電源はオン状態である場合に上記第一の差動信号線にバイアスを印加することを特徴とする請求項４に記載の電子機器。
【発明の詳細な説明】
【技術分野】
【０００１】
本発明は、外部機器と接続するためのコネクタを備える電子機器に関する。
【背景技術】
【０００２】
図３は、従来の電子機器１を含む構成を簡易的に示すブロック図である。電子機器１は、コネクタ２、トランシーバ（Transmitter and Receiver）ＩＣ３、ＳｏＣ（システムオンチップ）４を含む。コネクタ２およびトランシーバＩＣ３は、いわゆるＩＥＥＥ（Institute of Electrical and Electronic Engineers）１３９４の通信規格に対応したインターフェイスである。つまり、電子機器１は、このようなインターフェイスを搭載した機器である。トランシーバＩＣ３は、電子機器１における制御の中心的役割を果たすＳｏＣ４と外部との信号の中継回路であり、自身が駆動するための電源電圧の供給を電源５から受けている。トランシーバＩＣ３とコネクタ２は、差動信号線ＴＰＡ，ＴＰＢにより接続されている。差動信号線ＴＰＡには、電源６からバイアス電圧（以下、単にバイアス）が印加されている。
【０００３】
電子機器１は、ＩＥＥＥ１３９４の規格に対応したインターフェイス（コネクタ９、トランシーバＩＣ１０）を備える外部機器８と、ケーブル７を介して接続可能である。ケーブル７は、電子機器１のコネクタ２と外部機器８のコネクタ９とを接続する。また、外部機器８においても、トランシーバＩＣ１０とコネクタ９は、差動信号線ＴＰＡ，ＴＰＢにより接続されており、差動信号線ＴＰＡには、電源１２からバイアスが印加されている。トランシーバＩＣ１０は、外部機器８における制御の中心的役割を果たすメインＩＣ１１と外部との信号の中継回路である。
【０００４】
このような構成において、電子機器１のトランシーバＩＣ３は、コネクタ２に対する外部機器８の接続検知を、外部機器８からのバイアスの入力を検出することにより行っていた。つまり、機器同士は、ケーブル７で接続されたとき、一方の機器の差動信号線ＴＰＡと他方の機器の差動信号線ＴＰＢとが繋がり、一方の機器の差動信号線ＴＰＢと他方の機器の差動信号線ＴＰＡとが繋がる。そのため、トランシーバＩＣ３は、差動信号線ＴＰＢと接続するポートにおいて、バイアス（外部機器８の差動信号線ＴＰＡに印加されているバイアス）を検出した場合に、コネクタ２へ外部機器８が接続されていると検知する。
【０００５】
なお、ＩＥＥＥケーブルと接続するケーブルＩ／Ｆを有するＰＨＹチップであって、対向ノードであるプリンタの接続時にアサート状態となるコネクト検出信号および、パケットデータのやり取りを行う際にアサート状態となるバイアス検出信号の値に応じて、ディスコネクトモード、サスペンドモード、アクティブモードの設定を行うＰＨＹチップを搭載したＩＥＥＥボードが知られている（特許文献１参照。）。
【先行技術文献】
【特許文献】
【０００６】
【特許文献１】特開２００７‐１８５４５号公報
【発明の概要】
【発明が解決しようとする課題】
【０００７】
上述の従来構成においては、電子機器１は、外部機器８の接続検知をいつでも実行できるように、電源５および電源６を常時オン状態とし、トランシーバＩＣ３を駆動状態とし、差動信号線ＴＰＡにバイアスを印加していた。また、上記文献においても、コネクト検出やバイアス検出を行うためには、常にＰＨＹチップに電源を供給して駆動状態としておく必要がある。しかしながら、外部との接続検知を行うためにトランシーバＩＣ３に電源供給を常時行うことは、省電力化という観点から大きな課題であった。
【０００８】
本発明は少なくとも上記課題を解決するためになされたものであり、従来と比較して省電力化により貢献することが可能な技術を提供する。
【課題を解決するための手段】
【０００９】
本発明の態様の一つは、外部機器と接続するためのコネクタを備える電子機器であって、上記コネクタと差動信号線により接続し、上記コネクタを介した信号の送受信を制御するトランシーバＩＣと、オン状態である場合に上記トランシーバＩＣに駆動用の電圧を供給する電源と、上記差動信号線と上記電源との間に設けられ、上記コネクタを介して上記差動信号線に入力された所定のバイアスを検出した場合に、上記電源をオン状態とするバイアス検出部と、を備える。
【００１０】
当該構成によれば、上記トランシーバＩＣとは別に設けられたバイアス検出部が、上記コネクタを介して上記差動信号線に入力された所定のバイアスを検出した場合に、上記トランシーバＩＣに駆動用の電圧を供給する上記電源をオン状態にさせる。つまり、実際にコネクタに対して外部機器が接続された場合にのみ、トランシーバＩＣに電源電圧が供給される。よって、本発明によれば、外部機器が未接続の状態であってもトランシーバＩＣに電源電圧が供給されていた従来の電子機器と比較して、省電力化が実現される。
【図面の簡単な説明】
【００１１】
【図１】本実施形態の電子機器を含む構成を簡易的に示すブロック図である。
【図２】バイアス検出部の構成の一例を示す図である。
【図３】従来の電子機器を含む構成を簡易的に示すブロック図である。
【発明を実施するための形態】
【００１２】
本発明の実施形態として、上記バイアス検出部は、上記差動信号線から入力したバイアスから直流成分を検出する積分回路を備え、当該直流成分のレベルに基づいて上記電源のオン状態とオフ状態とを切替えるとしてもよい。
また、本発明の実施形態として、上記バイアス検出部は、上記直流成分のレベルと所定のしきい値とを比較し、上記直流成分のレベルが当該しきい値を超えた場合に、上記電源をオン状態とするとしてもよい。
【００１３】
また、本発明の実施形態として、バイアスが印加されるとともに、上記コネクタに上記外部機器が接続されたときに上記外部機器の第二の差動信号線と接続する第一の差動信号線と、上記コネクタに上記外部機器が接続されたときに上記外部機器の第一の差動信号線と接続する第二の差動信号線とを備え、上記バイアス検出部は、上記第二の差動信号線と上記電源との間に設けられるとしてもよい。
また、本発明の実施形態として、上記電源はオン状態である場合に上記第一の差動信号線にバイアスを印加するとしてもよい。
【００１４】
本発明の技術的思想は、電子機器という物としてだけでなく、例えば、電子機器が実行する処理工程に相当する方法の発明としても把握可能である。また、電子機器が備える構成の一部（少なくともバイアス検出部を含む構成）を抽出して、一つの発明として捉えることも可能である。
【００１５】
以下、図面を参照しながら本発明の実施形態を更に説明する。
図１は、本実施形態の電子機器２０を含む構成を簡易的に示すブロック図である。電子機器２０は、ＩＥＥＥ１３９４の通信規格に対応したインターフェイスを有する。図１では、従来（図３）と同様の構成については図３と同様の符号を付している。また以下では、従来（図３）と同様の構成については説明を省略することがある。
【００１６】
電子機器２０には、上記インターフェイスを搭載し得る製品であればあらゆる物が該当し、例えば、テレビ、録画再生装置（光ディスクやハードディスクへの情報の記録や情報の読み出しが可能なレコーダやプレーヤ）等が該当する。また、ケーブル７を介して電子機器２０に接続される外部機器８も特に限定されるものでなく、例えば、デジタルスチルカメラ、ビデオカメラ、プリンタ等、種々の製品が該当する。
【００１７】
電子機器２０は、外部機器８と接続するためのコネクタ２、コネクタ２と差動信号線ＴＰＡ（第一の差動信号線）および差動信号線ＴＰＢ（第二の差動信号線）により接続し、コネクタ２を介した信号の送受信を制御するトランシーバＩＣ３、オン状態である場合にトランシーバＩＣ３に駆動用の電圧を供給する電源２４、差動信号線ＴＰＢと電源２４との間に設けられ、コネクタ２を介して差動信号線ＴＰＢに入力された所定のバイアスを検出した場合に、電源２４をオン状態とするバイアス検出部２６、を少なくとも含む。また、電子機器２０は、電源２４のオン・オフを切替えるためのスイッチ２５を備える。
【００１８】
差動信号線ＴＰＡは、一対のストローブ信号ライン（ＴＰＡ＋およびＴＰＡ−）からなり、差動信号線ＴＰＢは、一対のデータ信号ライン（ＴＰＢ＋およびＴＰＢ−）からなる。バイアス検出部２６は、一対のデータ信号ラインのいずれか一方と接続することにより、コネクタ２に外部装置８が接続されたときに外部装置８側の差動信号線ＴＰＡから入力されるバイアスを、差動信号線ＴＰＢを介して入力できるようになっている。
【００１９】
図２は、バイアス検出部２６の構成の一例を示す図である。バイアス検出部２６は、積分回路２７を備える。積分回路２７は、例えば、ローパスフィルタ（ＬＰＦ）により実現される。コネクタ２に（ケーブル７を介して）外部機器８が接続されている場合、コネクタ２とトランシーバＩＣ３とを接続する差動信号線ＴＰＢへ、外部装置８の差動信号線ＴＰＡからのバイアスが入力される。当該バイアスはパルス信号であるため、積分回路２７は、当該バイアスを入力して直流成分ＤＣを検出する。直流成分ＤＣは、バイアス検出部２６が備える比較回路（コンパレータ）ＣＰの一方の入力端子へ入力する。
【００２０】
バイアス検出部２６は、ある電源（例えば＋３．３Ｖ）から電圧供給を受ける抵抗Ｒ１および抵抗Ｒ２からなる抵抗分圧回路を有しており、抵抗分圧回路の分圧点は、コンパレータＣＰの他方の入力端子に接続している。この他方の入力端子へ入力される電圧のレベルが、上記直流成分ＤＣに対するしきい値となる。コンパレータＣＰは、直流成分ＤＣのレベルと当該しきい値とを比較し、直流成分ＤＣのレベルが当該しきい値を超えた場合に所定のハイ（Ｈ）レベル信号を出力し、直流成分ＤＣのレベルが当該しきい値を超えない場合に所定のロー（Ｌ）レベル信号を出力する。
【００２１】
スイッチ２５（図１）は、上記Ｈレベル信号かＬレベル信号かのいずれか一方を入力し、Ｈレベル信号を入力した場合にはオン状態となる。つまり、コンパレータＣＰがＨレベル信号を出力することが、バイアス検出部２６が所定のバイアスを検出したことに該当する。そして、このように所定のバイアスがバイアス検出部２６において検出された場合に、スイッチ２５がオン状態となることで電源２４がオン状態となり、電源２４からトランシーバＩＣ３へ駆動用の電圧が供給され、かつ、差動信号線ＴＰＡへバイアスが印加される。これにより、トランシーバＩＣ３が駆動開始し、また、外部機器８が電子機器２０の接続を検知できるようになる。
【００２２】
一方、このように所定のバイアスがバイアス検出部２６において検出されない場合、すなわちスイッチ２５にＬレベル信号が入力される場合、スイッチ２５はオフ状態となることで電源２４がオフ状態となり、電源２４からトランシーバＩＣ３への電圧供給および差動信号線ＴＰＡへのバイアス印加が停止される。これにより、トランシーバＩＣ３が駆動停止する。
【００２３】
スイッチ２５の具体的構成は特に限定されない。例えば、スイッチ２５にはトランジスタを用いることができる。つまり、トランジスタのベースに上記Ｈレベル信号かＬレベル信号のいずれかが入力される構成とし、Ｈレベル信号の入力によってトランジスタがオン状態となり、Ｌレベル信号の入力によってトランジスタがオフ状態となるようにしてもよい。また、積分回路２７を実現する手段もＬＰＦに限られない。例えば、オペアンプを用いて積分回路２７を実現してもよい。
【００２４】
バイアス検出部２６は、必ずしもコンパレータＣＰを備える必要はない。例えば、バイアス検出部２６は、積分回路２７から出力される直流成分ＤＣをスイッチ２５に入力させるとしてもよい。つまり、スイッチ２５が、直流成分ＤＣのレベルの高低に応じて、オン・オフを切替えるようにしてもよい。この場合、スイッチ２５をオン状態に切替える程度のレベルの直流成分ＤＣが積分回路２７から出力されることが、バイアス検出部２６が所定のバイアスを検出したことに該当する。いずれにしても、バイアス検出部２６は、直流成分ＤＣのレベルに基づいて電源２４のオン状態とオフ状態とを切替える。なお、バイアス検出部２６の概念にスイッチ２５を含めるとしてもよい。
【００２５】
このように本実施形態によれば、ＩＥＥＥ１３９４の規格に対応したコネクタ２とトランシーバＩＣ３とを接続する差動信号線ＴＰＢと、トランシーバＩＣ３に駆動用の電源電圧を供給するための電源２４との間に、バイアス検出部２６を設けるとした。そして、外部機器８がコネクタ２に接続された場合に差動信号線ＴＰＢへ入力されるバイアスをバイアス検出部２６が検出した場合に、電源２４をオン状態とし、トランシーバＩＣ３を駆動させるとした。そのため、外部機器８の接続検知を確実に実行できるとともに、従来のように外部機器８の接続検知を行うために自装置側のトランシーバＩＣ３へ電源電圧を常時供給する必要がなくなり、省電力化が達成される。トランシーバＩＣ３は、従来のバイアス検出以外にも、差動信号の合成処理や、ＳｏＣ４へ送信する信号の変換処理を実行するものであるため消費電力が大きい。そのため、外部機器８の未接続時にトランシーバＩＣ３への電源供給を停止する本実施形態による省電力効果は大きい。特に本実施形態によれば、外部機器８が未接続状態である電子機器２０のスタンバイモード時の待機電力の低減に大きく貢献する。
【００２６】
本実施形態において、電源２４が、差動信号線ＴＰＡへのバイアスの供給源も兼ねることは必須ではなく、当該バイアスを差動信号線ＴＰＡへ供給する電源を別途設けても良い。ただし、電源２４が差動信号線ＴＰＡへのバイアスの供給源も兼ねることで、電源２４をオフ状態とした場合にトランシーバＩＣ３への電源電圧供給および差動信号線ＴＰＡへのバイアス供給を停止させることができ、省電力化の効果が高い。
本実施形態は、ＩＥＥＥ１３９４の規格に対応したインターフェイスを例に説明を行った。ただし、ＩＥＥＥ１３９４以外のＩＥＥＥによる規格に対応したインターフェイス（接続先の機器からバイアスを入力するインターフェイス）を採用する構成であれば、本発明を適用可能である。
【符号の説明】
【００２７】
２…コネクタ、３…トランシーバＩＣ、４…ＳｏＣ、７…ケーブル、８…外部機器、２０…電子機器、２４…電源、２５…スイッチ、２６…バイアス検出部、２７…積分回路、ＴＰＡ，ＴＰＢ…差動信号線、ＣＰ…コンパレータ
【図１】
2014154967.tif 000003
【図２】
2014154967.tif 000004
【図３】
2014154967.tif 000005